(57)【要約】【課題】底抜けしにくく、また、箱の裂けることのない、ロック片や差し込み片で天部や底部を固定して閉鎖する組み立て式の包装箱を提供すること。【解決手段】一対の天側板111,121 の両端縁の側壁寄りに天側板ロック片113,114 が形成され、一対の天端板の両端縁の端辺寄りの天端板ロック片133,134,143,144 が形成され、天側板の両角隅から外方に角度αで設けた直線Ａと天端板の両角隅から外方に角度βで設けた直線Ｂとを、α＋β＝９０°になるように設け、天側板の外方寄りの両角を天側板ロック片を除いて直線Ａから外側を直線Ａに沿って切り欠き、天端板の外方寄りの両角を天端板ロック片を除いて直線Ｂから外側を直線Ｂに沿って切り欠き、天側板を内側に折り曲げ天端板を内側に折り曲げた時、隣接する天側板ロック片と天端板ロック片とがロックされる。【選択図】図１
2005153955.tif 000002
【特許請求の範囲】
【請求項１】
一対の側壁の上縁から延出された天側板と、一対の端壁の上縁から延出された天端板と、前記一対の側壁の下縁から延出された底側板と、前記一対の端壁の下縁から延出された底端板とを重ね合わせて固定する組み立て式の包装箱において、
前記一対の天側板の両コーナーから外方に向けて角度αで設けた直線Ａと、前記一対の天端板の両コーナーから外方に向けて角度βで設けた直線Ｂとを、角度α＋角度β＝９０°の関係になるように設け、
天側板の外方寄りの両コーナーの直線Ａから外側を直線Ａに沿って切り欠き、
天端板の外方寄りの両コーナーの直線Ｂから外側を直線Ｂに沿って切り欠き、
前記一対の天側板の両端縁のコーナー寄りに天側板から突出して天側板ロック片が形成され、
前記一対の天端板の両端縁のコーナーから離れた端辺寄りに天端板から突出して天端板ロック片が形成され、
前記一対の天側板を内側に折り曲げ、ついで一対の天端板を内側に折り曲げた時、
隣接する天側板ロック片と天端板ロック片とが互いにロックされて、天側板と天端板とが固定されることを特徴とする、組み立て式包装箱。
【請求項２】
一対の側壁の上縁から延出された天側板と、一対の端壁の上縁から延出された天端板と、前記一対の側壁の下縁から延出された底側板と、前記一対の端壁の下縁から延出された底端板とを重ね合わせて固定する組み立て式の包装箱において、
前記一対の底端板の両端縁には、傾斜辺ｋが箱の底部のコーナーを起点とする直線Ｄに一致する底端板差し込み片が設けられ、
前記一対の底側板には、一対の底側板と一対の底端板とを折り曲げて底部を組み立てる際、底端板に設けた底端板差し込み片が差し込み可能なように、一対の差し込み窓が形成されていることを特徴とする、組み立て式包装箱。
【請求項３】
一対の側壁の上縁から延出された天側板と、一対の端壁の上縁から延出された天端板と、前記一対の側壁の下縁から延出された底側板と、前記一対の端壁の下縁から延出された底端板とを重ね合わせて固定する組み立て式の包装箱であって、
前記一対の底端板の両端縁には、傾斜辺ｋが箱の底部のコーナーを起点とする直線Ｄに一致する底端板差し込み片が設けられ、
前記一対の底側板には、一対の底側板と一対の底端板とを折り曲げて底部を組み立てる際、底端板に設けた底端板差し込み片が差し込み可能なように、一対の差し込み窓が形成されている組み立て式包装箱において、
前記一対の底端板の中央部分には、両端縁に設けられた一対の底端板差し込み片に挟まれて突出するように補強片が設けられていることを特徴とする、組み立て式包装箱。
【請求項４】
一対の側壁の上縁から延出された天側板と、一対の端壁の上縁から延出された天端板と、前記一対の側壁の下縁から延出された底側板と、前記一対の端壁の下縁から延出された底端板とを重ね合わせて固定する組み立て式の包装箱において、
前記一対の天側板の両コーナーから外方に向けて角度αで設けた直線Ａと、前記一対の天端板の両コーナーから外方に向けて角度βで設けた直線Ｂとを、角度α＋角度β＝９０°の関係になるように設け、
天側板の外方寄りの両コーナーの直線Ａから外側を直線Ａに沿って切り欠き、
天端板の外方寄りの両コーナーの直線Ｂから外側を直線Ｂに沿って切り欠き、
前記一対の天側板の両端縁のコーナー寄りに天側板から突出して天側板ロック片が形成され、
前記一対の天端板の両端縁のコーナーから離れた端辺寄りに天端板から突出して天端板ロック片が形成され、
前記一対の天側板を内側に折り曲げ、ついで一対の天端板を内側に折り曲げた時、
隣接する天側板ロック片と天端板ロック片とが互いにロックされて、天側板と天端板とが固定され、
前記一対の底端板の両端縁には、傾斜辺ｋが箱の底部のコーナーを起点とする直線Ｄに一致する底端板差し込み片が設けられ、
前記一対の底側板には、一対の底側板と一対の底端板とを折り曲げて底部を組み立てる際、底端板に設けた底端板差し込み片が差し込み可能なように、一対の差し込み窓が形成されていることを特徴とする、組み立て式包装箱。
【請求項５】
一対の側壁の上縁から延出された天側板と、一対の端壁の上縁から延出された天端板と、前記一対の側壁の下縁から延出された底側板と、前記一対の端壁の下縁から延出された底端板とを重ね合わせて固定する組み立て式の包装箱であって、
前記一対の天側板の両コーナーから外方に向けて角度αで設けた直線Ａと、前記一対の天端板の両コーナーから外方に向けて角度βで設けた直線Ｂとを、角度α＋角度β＝９０°の関係になるように設け、
天側板の外方寄りの両コーナーの直線Ａから外側を直線Ａに沿って切り欠き、
天端板の外方寄りの両コーナーの直線Ｂから外側を直線Ｂに沿って切り欠き、
前記一対の天側板の両端縁のコーナー寄りに天側板から突出して天側板ロック片が形成され、
前記一対の天端板の両端縁のコーナーから離れた端辺寄りに天端板から突出して天端板ロック片が形成され、
前記一対の天側板を内側に折り曲げ、ついで一対の天端板を内側に折り曲げた時、
隣接する天側板ロック片と天端板ロック片とが互いにロックされて、天側板と天端板とが固定され、
前記一対の底端板の両端縁には、傾斜辺ｋが箱の底部のコーナーを起点とする直線Ｄに一致する底端板差し込み片が設けられ、
前記一対の底側板には、一対の底側板と一対の底端板とを折り曲げて底部を組み立てる際、底端板に設けた底端板差し込み片が差し込み可能なように、一対の差し込み窓が形成されている組み立て式包装箱において、
前記一対の底端板の中央部分には、両端縁に設けられた一対の底端板差し込み片に挟まれて突出するように補強片が設けられていることを特徴とする、組み立て式包装箱。
【請求項６】
前記天側板に形成される天側板ロック片は、天端板に形成される天端板ロック片よりも長く形成されていることを特徴とする、請求項１〜５のいずれか１項に記載の組み立て式包装箱。
【請求項７】
前記天端板に形成される天端板ロック片は、天側板に形成される天側板ロック片よりも長く形成されていることを特徴とする、請求項１〜５のいずれか１項に記載の組み立て式包装箱。
【請求項８】
前記一対の端壁よりも前記一対の側壁の方が長いことことを特徴とする、請求項１〜７のいずれか１項に記載の組み立て式包装箱。
【請求項９】
前記組み立て式包装箱の材質が、ダンボールから成ることを特徴とする、請求項１〜８のいずれか１項に記載の組み立て式包装箱。
【請求項１０】
前記底側板に設けられる一対の差し込み窓には、コーナーから離れた底側板の端辺寄りに折り込み線を有するフラップが形成されていることを特徴とする、請求項２〜９のいずれか１項に記載の組み立て式包装箱。
【請求項１１】
前記底側板に設けられる一対の差し込み窓は、コーナーから離れた底側板の端辺寄りに形成された折り込み線に連続して曲線状の切り込み線により形成されていることを特徴とする、請求項２〜１０のいずれか１項に記載の組み立て式包装箱。
【発明の詳細な説明】
【技術分野】
【０００１】
本発明は、組み立て式の包装箱に関し、特には、止め金具や接着テープあるいはホットメルト接着剤などを使用せずに天部や底部の閉鎖を可能にした組み立て式包装箱に関する。
【背景技術】
【０００２】
従来、組み立て式の包装箱の天部や底部は、天板や底板を内側に折り曲げた後、止め金具や接着テープ、あるいはホットメルト接着剤などを用いて、該天板や底板を接着させて包装箱としていた。
【０００３】
しかしこの方法では、使用後の包装箱を再利用するため、包装箱を分解する際に止め金具を外したり、接着テープを剥がすのに余分な労力を必要とするほか、ダンボールや板紙が破損したり、外した止め金具や剥がした接着テープは再利用できずゴミとして廃棄するより方法がなく、資源の無駄となっていた。
【０００４】
そのため、例えば、天部や底部について、止め金具や接着テープあるいはホットメルト接着剤などを使用せずに、ロック片や差し込み片を設けて天部や底部を固定する方法が発明、考案されている（例えば、特許文献１、特許文献２参照）。
【特許文献１】実公昭３１−１４２９０号公報（第２図）
【特許文献２】特開２００３−１１２７２１号公報（請求項１）  前者の発明は、短辺を外から長辺でロックする形をとっており、差し込み片の側板への差し込み易さ、抜けにくさや差し込み片の破れにくさについて考慮されていない。
【０００５】
後者の発明は、箱に組み立てた際、長さの長い底側板が短い底端板の外側に位置しており、ダンボールのたわみによって底抜けし易い構造になっている。また短くなっている底端板に荷重が集中し箱が裂け易いという問題もある。
【発明の開示】
【発明が解決しようとする課題】
【０００６】
本発明は、天部や底部を隣合う側板や端板をロック片や差し込み片で固定する組み立て式の包装箱に関する以上のような問題に鑑みてなされたもので、組み立て易く、底抜けしにくく、また、箱の裂けることのないロック片や差し込み片で天部や底部を固定し閉鎖する組み立て式の包装箱を提供することを課題とする。
【課題を解決するための手段】
【０００７】
本発明の請求項１の発明は、一対の側壁の上縁から延出された天側板と、一対の端壁の上縁から延出された天端板と、前記一対の側壁の下縁から延出された底側板と、前記一対の端壁の下縁から延出された底端板とを重ね合わせて固定する組み立て式の包装箱において、前記一対の天側板の両コーナーから外方に向けて角度αで設けた直線Ａと、前記一対の天端板の両コーナーから外方に向けて角度βで設けた直線Ｂとを、角度α＋角度β＝９０°の関係になるように設け、天側板の外方寄りの両コーナーの直線Ａから外側を直線Ａに沿って切り欠き、天端板の外方寄りの両コーナーの直線Ｂから外側を直線Ｂに沿って切り欠き、前記一対の天側板の両端縁のコーナー寄りに天側板から突出して天側板ロック片が形成され、前記一対の天端板の両端縁のコーナーから離れた端辺寄りに天端板から突出して天端板ロック片が形成され、前記一対の天側板を内側に折り曲げ、ついで一対の天端
板を内側に折り曲げた時、隣接する天側板ロック片と天端板ロック片とが互いにロックされて、天側板と天端板とが固定されることを特徴とする、組み立て式包装箱である。
【０００８】
このように請求項１記載の発明によれば、一対の天側板の両コーナーから外方に向けて角度αで設けた直線Ａと、前記一対の天端板の両コーナーから外方に向けて角度βで設けた直線Ｂとを、角度α＋角度β＝９０°の関係になるように設け、天側板の外方寄りの両コーナーの直線Ａから外側を直線Ａに沿って切り欠き、天端板の外方寄りの両コーナーの直線Ｂから外側を直線Ｂに沿って切り欠き、前記一対の天側板の両端縁のコーナー寄りに天側板から突出して天側板ロック片が形成され、前記一対の天端板の両端縁のコーナーから離れた端辺寄りに天端板から突出して天端板ロック片が形成され、前記一対の天側板を内側に折り曲げ、ついで一対の天端板を内側に折り曲げた時、隣接する天側板ロック片と天端板ロック片とが互いにロックされて、天側板と天端板とが固定されるので、最初に一対の天側板を内側に押し込むように折り曲げ、ついで、一対の天端板を内側に押し込むように折り曲げると、天側板ロック片と天端板ロック片とが互いにロックされて天側板と天端板とはしっかりと固定される。
【０００９】
また、再び、最初に一対の天側板を内側に押し込むと、天側板ロック片と天端板ロック片のロックが解けて、一対の天側板と一対の天端板は互いに解放される。
【００１０】
また、請求項２の発明は、一対の側壁の上縁から延出された天側板と、一対の端壁の上縁から延出された天端板と、前記一対の側壁の下縁から延出された底側板と、前記一対の端壁の下縁から延出された底端板とを重ね合わせて固定する組み立て式の包装箱において、前記一対の底端板の両端縁には、傾斜辺ｋが箱の底部のコーナーを起点とする直線Ｄに一致する底端板差し込み片が設けられ、前記一対の底側板には、一対の底側板と一対の底端板とを折り曲げて底部を組み立てる際、底端板に設けた底端板差し込み片が差し込み可能なように、一対の差し込み窓が形成されていることを特徴とする、組み立て式包装箱である。
【００１１】
このように請求項２記載の発明によれば、一対の底端板の両端縁には、傾斜辺ｋが箱の底部のコーナーを起点とする直線Ｄに一致する底端板差し込み片が設けられ、前記一対の底側板には、一対の底側板と一対の底端板とを折り曲げて底部を組み立てる際、底端板に設けた底端板差し込み片が差し込み可能なように、一対の差し込み窓が形成されているので、一対の底側板を内側に折り曲げてから、一対の底端板を内側に押し込むように折り曲げると、一対の底側板を一対の差し込み片全体で安定して押し下げるため、底端板の両端に形成された底端板差し込み片が底側板に形成された差し込み窓に無理なく差し込まれて完全にロックされ、底部は閉鎖される。
【００１２】
また、底部の一対の底側板を同時に内側に押し込むことにより底側板と底端板のロックが解けて一対の底側板と一対の底端板とは簡単に解放される。
【００１３】
また、請求項３の発明は、一対の側壁の上縁から延出された天側板と、一対の端壁の上縁から延出された天端板と、前記一対の側壁の下縁から延出された底側板と、前記一対の端壁の下縁から延出された底端板とを重ね合わせて固定する組み立て式の包装箱であって、前記一対の底端板の両端縁には、傾斜辺ｋが箱の底部のコーナーを起点とする直線Ｄに一致する底端板差し込み片が設けられ、前記一対の底側板には、一対の底側板と一対の底端板とを折り曲げて底部を組み立てる際、底端板に設けた底端板差し込み片が差し込み可能なように、一対の差し込み窓が形成されている組み立て式包装箱において、前記一対の底端板の中央部分には、両端縁に設けられた一対の底端板差し込み片に挟まれて突出するように補強片が設けられていることを特徴とする、組み立て式包装箱である。
【００１４】
このように請求項３記載の発明によれば、前記一対の底端板の中央部分には、両端縁に設けられた一対の底端板差し込み片に挟まれて突出するように補強片が設けられているので、補強片が一対の底側板の外側にあたって底端板差し込み片への荷重を分担し底抜けを防止している。
【００１５】
また、差し込み片の位置が内側に入り対応する差し込み窓も内側に入ることにより差し込み窓と底側板のコーナーから離れた部位の端辺との距離を拡げている。このことにより底側板の差し込み窓とコーナーから離れた部位の端辺との間が破れにくくなっている。
【００１６】
また、請求項４の発明は、一対の側壁の上縁から延出された天側板と、一対の端壁の上縁から延出された天端板と、前記一対の側壁の下縁から延出された底側板と、前記一対の端壁の下縁から延出された底端板とを重ね合わせて固定する組み立て式の包装箱において、前記一対の天側板の両コーナーから外方に向けて角度αで設けた直線Ａと、前記一対の天端板の両コーナーから外方に向けて角度βで設けた直線Ｂとを、角度α＋角度β＝９０°の関係になるように設け、天側板の外方寄りの両コーナーの直線Ａから外側を直線Ａに沿って切り欠き、天端板の外方寄りの両コーナーの直線Ｂから外側を直線Ｂに沿って切り欠き、前記一対の天側板の両端縁のコーナー寄りに天側板から突出して天側板ロック片が形成され、前記一対の天端板の両端縁のコーナーから離れた端辺寄りに天端板から突出して天端板ロック片が形成され、前記一対の天側板を内側に折り曲げ、ついで一対の天端板を内側に折り曲げた時、隣接する天側板ロック片と天端板ロック片とが互いにロックされて、天側板と天端板とが固定され、前記一対の底端板の両端縁には、傾斜辺ｋが箱の底部のコーナーを起点とする直線Ｄに一致する底端板差し込み片が設けられ、前記一対の底側板には、一対の底側板と一対の底端板とを折り曲げて底部を組み立てる際、底端板に設けた底端板差し込み片が差し込み可能なように、一対の差し込み窓が形成されていることを特徴とする、組み立て式包装箱である。
【００１７】
このように請求項４記載の発明によれば、前記一対の天側板の両コーナーから外方に向けて角度αで設けた直線Ａと、前記一対の天端板の両コーナーから外方に向けて角度βで設けた直線Ｂとを、角度α＋角度β＝９０°の関係になるように設け、天側板の外方寄りの両コーナーの直線Ａから外側を直線Ａに沿って切り欠き、天端板の外方寄りの両コーナーの直線Ｂから外側を直線Ｂに沿って切り欠き、前記一対の天側板の両端縁のコーナー寄りに天側板から突出して天側板ロック片が形成され、前記一対の天端板の両端縁のコーナーから離れた端辺寄りに天端板から突出して天端板ロック片が形成され、前記一対の天側板を内側に折り曲げ、ついで一対の天端板を内側に折り曲げた時、隣接する天側板ロック片と天端板ロック片とが互いにロックされて、天側板と天端板とが固定され、前記一対の底端板の両端縁には、傾斜辺ｋが箱の底部のコーナーを起点とする直線Ｄに一致する底端板差し込み片が設けられ、前記一対の底側板には、一対の底側板と一対の底端板とを折り曲げて底部を組み立てる際、底端板に設けた底端板差し込み片が差し込み可能なように、一対の差し込み窓が形成されているので、組み立て式包包装箱の組み立てと分解を止め金具や接着テープ等を使用せずに、天部、底部ともにワンタッチで行うことができる。
【００１８】
また、天部の閉鎖は天側板を外側にして、天端板を内側にし、そして底部の閉鎖は天側板を内側にして、天端板を外側にしているので、積み重ねた際に包装箱は旨く紙厚分逃げてロックが外れにくい構造である。
【００１９】
また、請求項５の発明は、一対の側壁の上縁から延出された天側板と、一対の端壁の上縁から延出された天端板と、前記一対の側壁の下縁から延出された底側板と、前記一対の端壁の下縁から延出された底端板とを重ね合わせて固定する組み立て式の包装箱であって、前記一対の天側板の両コーナーから外方に向けて角度αで設けた直線Ａと、前記一対の天端板の両コーナーから外方に向けて角度βで設けた直線Ｂとを、角度α＋角度β＝９０
°の関係になるように設け、天側板の外方寄りの両コーナーの直線Ａから外側を直線Ａに沿って切り欠き、天端板の外方寄りの両コーナーの直線Ｂから外側を直線Ｂに沿って切り欠き、前記一対の天側板の両端縁のコーナー寄りに天側板から突出して天側板ロック片が形成され、前記一対の天端板の両端縁のコーナーから離れた端辺寄りに天端板から突出して天端板ロック片が形成され、前記一対の天側板を内側に折り曲げ、ついで一対の天端板を内側に折り曲げた時、隣接する天側板ロック片と天端板ロック片とが互いにロックされて、天側板と天端板とが固定され、前記一対の底端板の両端縁には、傾斜辺ｋが箱の底部のコーナーを起点とする直線Ｄに一致する底端板差し込み片が設けられ、前記一対の底側板には、一対の底側板と一対の底端板とを折り曲げて底部を組み立てる際、底端板に設けた底端板差し込み片が差し込み可能なように、一対の差し込み窓が形成されている組み立て式包装箱において、前記一対の底端板の中央部分には、両端縁に設けられた一対の底端板差し込み片に挟まれて突出するように補強片が設けられていることを特徴とする、組み立て式包装箱である。
【００２０】
このように請求項５記載の発明によれば、前記一対の天側板の両コーナーから外方に向けて角度αで設けた直線Ａと、前記一対の天端板の両コーナーから外方に向けて角度βで設けた直線Ｂとを、角度α＋角度β＝９０°の関係になるように設け、天側板の外方寄りの両コーナーの直線Ａから外側を直線Ａに沿って切り欠き、天端板の外方寄りの両コーナーの直線Ｂから外側を直線Ｂに沿って切り欠き、前記一対の天側板の両端縁のコーナー寄りに天側板から突出して天側板ロック片が形成され、前記一対の天端板の両端縁のコーナーから離れた端辺寄りに天端板から突出して天端板ロック片が形成され、前記一対の天側板を内側に折り曲げ、ついで一対の天端板を内側に折り曲げた時、隣接する天側板ロック片と天端板ロック片とが互いにロックされて、天側板と天端板とが固定され、前記一対の底端板の両端縁には、傾斜辺ｋが箱の底部のコーナーを起点とする直線Ｄに一致する底端板差し込み片が設けられ、前記一対の底側板には、一対の底側板と一対の底端板とを折り曲げて底部を組み立てる際、底端板に設けた底端板差し込み片が差し込み可能なように、一対の差し込み窓が形成されている組み立て式包装箱において、前記一対の底端板の中央部分には、両端縁に設けられた一対の底端板差し込み片に挟まれて突出するように補強片が設けられているので、包装箱の組み立てと分解を止め金具や接着テープ等を使用せずに、天部、底部ともにワンタッチで行うことができる。
【００２１】
また、差し込み片の位置が内側に入り対応する差し込み窓も内側に入ることにより差し込み窓と底側板のコーナーから離れた部位の端辺との距離を拡げている。このことにより底側板の差し込み窓とコーナーから離れた部位の端辺との間が破れにくくなっている。
【００２２】
さらに、天部の閉鎖は天側板を外側にして、天端板を内側にし、そして底部の閉鎖は天側板を内側にして、天端板を外側にしているので、積み重ねた際に包装箱は旨く紙厚分逃げてロックが外れにくい構造である。
【００２３】
また、請求項６の発明は、請求項１〜５のいずれか１項に記載の発明において、前記天側板に形成される天側板ロック片は、天端板に形成される天端板ロック片よりも長く形成されていることを特徴とする、組み立て式包装箱である。
【００２４】
このように請求項６記載の発明によれば、天側板に形成される天側板ロック片は、天端板に形成される天端板ロック片よりも長く形成されているので、一対の天側板および一対の天端板を内側に折り曲げて押し込むようにロックする際に、少ない押し込み角度で済ませることができる。
【００２５】
また、請求項７の発明は、請求項１〜５のいずれか１項に記載の発明において、前記天端板に形成される天端板ロック片は、天側板に形成される天側板ロック片よりも長く形成
されていることを特徴とする、組み立て式包装箱である。
【００２６】
このように請求項７記載の発明によれば、天端板に形成される天端板ロック片を、天側板に形成される天側板ロック片よりも長く形成することにより、強いロック強度を得ることができる。
【００２７】
すなわち、請求項６や請求項７に記載の発明によれば、天側板ロック片と天端板ロック片、相互の長さを調整することにより、押し込み角度やロック強度を任意に調節することができる。
【００２８】
また、請求項８の発明は、請求項１〜７のいずれか１項に記載の発明において、前記一対の端壁よりも前記一対の側壁の方が長いことを特徴とする、組み立て式包装箱である。
【００２９】
このように請求項８記載の発明によれば、一対の端壁よりも一対の側壁を長く設定してあるので、すなわち、長辺を外側から短辺で押さえる形でロックするので長い辺がたわみにくくロックが外れにくい。
【００３０】
また、請求項９の発明は、請求項１〜８のいずれか１項に記載の発明において、前記組み立て式包装箱の材質が、ダンボールから成ることを特徴とする、組み立て式包装箱である。
【００３１】
このように請求項９記載の発明によれば、ダンボールを材質に使用しているので、比較的重量のある内容物を収容することができる。
【００３２】
また、請求項１０の発明は、請求項２〜９のいずれか１項に記載の発明において、前記底側板に設けられる一対の差し込み窓には、コーナーから離れた底側板の端辺寄りに折り込み線を有するフラップが形成されていることを特徴とする、組み立て式包装箱である。
【００３３】
このように請求項１０に記載の発明によれば、底側板に設けられる一対の差し込み窓には、コーナーから離れた底側板の端辺寄りに折り込み線を有するフラップが形成されているので、底端板差し込み片を差し込み窓に差し込み隣接する底側板と底端板とをロックする際、差し込み窓はフラップに覆われ、ロックが外れにくく、また、ごみなどが組み立てた包装箱の中に入り込むことがない。
【００３４】
また、請求項１１の発明は、請求項２〜１０のいずれか１項に記載の発明において、前記底側板に設けられる一対の差し込み窓は、コーナーから離れた底側板の端辺寄りに形成された折り込み線に連続して曲線状の切り込み線により形成されていることを特徴とする、組み立て式包装箱である。
【００３５】
このように請求項１１に記載の発明によれば、底側板に設けられる一対の差し込み窓は、コーナーから離れた底側板の端辺寄りに形成された折り込み線に連続して曲線状の切り込み線により形成されているので、差し込み片を差し込み窓に差し込む際、差し込み片の先端を傷めることがない。
【発明の効果】
【００３６】
このように本発明の組み立て式の包装箱は止め金具や接着テープを使用しないので、包装箱の組み立てや分解を簡単に行うことができると同時に、荷抜けしにくくなり、荷重が分散してダンボールが裂けにくくなった。
【発明を実施するための最良の形態】
【００３７】
本発明の組み立て式包装箱を一実施形態に基づいて以下に詳細に説明する。
【００３８】
本発明の組み立て式包装箱は、例えば、図１、図２、図５に示すように、一対の側壁（１１、１２）の上縁から延出された天側板（１１１、１２１）と、一対の端壁（１３、１４）の上縁から延出された天端板（１３１、１４１）と、前記一対の側壁の下縁から延出された底側板（１１２、１２２）と、前記一対の端壁の下縁から延出された底端板（１３２、１４２）とを重ね合わせて固定する組み立て式の包装箱（１０）である。
【００３９】
そして、一対の天側板（１１１、１２１）の両端縁のコーナー寄りに天側板ロック片（１１３、１１４、１２３、１２４）が形成され、また、一対の天端板の両端縁のコーナーから離れた端辺寄りに天端板ロック片（１３３、１３４、１４３、１４４）がつぎに示す条件を満たすように形成されている。
【００４０】
すなわち、一対の天側板（１１１、１２１）の両コーナーから外方に向けて角度αで設けた直線Ａと、一対の天端板（１３１、１４１）の両コーナーから外方に向けて角度βで設けた直線Ｂとを、角度α＋角度β＝９０°の関係になるように設け、天側板の外方寄りの両コーナーの直線Ａから外側を直線Ａに沿って切り欠く。
【００４１】
また、天端板の外方寄りの両コーナーの直線Ｂから外側を直線Ｂに沿って切り欠く。
【００４２】
そして、一対の天側板（１１１、１２１）の両端縁のコーナー寄りに天側板から突出させて天側板ロック片（１１３、１１４、１２３、１２４）を形成させる。
【００４３】
また、一対の天端板（１３１、１４１）の両端縁のコーナーから離れた端辺寄りに天端板から突出させて天端板ロック片（１３３、１３４、１４３、１４４）を形成させる。
【００４４】
ブランクから包装箱に組み立てるには、先ず、端縁（１４）と糊代片（１５）とを接着剤を介して貼着してブランクを筒状に組み立て、一対の天側板（１１１、１２１）を内側に折り曲げ、ついで、一対の天端板（１３１、１４１）を内側に折り曲げた時、隣接する天側板ロック片（１１３、１１４、１２３、１２４）と天端板ロック片（１３３、１３４、１４３、１４４）とが互いにロックされて、天側板（１１１、１２１）と天端板（１３１、１４１）とが固定される。
【００４５】
なお、ロックする際、素材を傷めることなく包装箱の円滑な組み立てが行われるように、天側板ロック片（１１３、１１４、１２３、１２４）と天端板ロック片（１３３、１３４、１４３、１４４）の角は、図示してあるように、あらかじめ切り欠いておくと良い。
【００４６】
包装箱を解く場合には、一対の天側板（１１１、１２１）を同時に内側に押し込むことにより、天部のロックが解けて一対の天端板（１３１、１４１）と一対の天側板（１１１、１２１）はそれぞれ簡単に分離する。
【００４７】
また、図示してないが、天側板や天端板を延ばして折り曲げた際に、天部全体を閉鎖するような構造にしても良い。
【００４８】
なお、天側板に形成される天側板ロック片（１１３、１１４、１１３、１１４）の長さを天端板に形成される天端板ロック片（１３３、１３４、１４３、１４４）の長さよりも長く設定しておくことにより、天側板と天端板を内側に押し込んでロックする際に少ない押し込み角度でロックすることができる。
【００４９】
また、天端板に形成される天端板ロック片（１３３、１３４、１４３、１４４）の長さ
を天側板に形成される天側板ロック片（１１３、１１４、１１３、１１４）の長さよりも長く設定しておくことにより、天側板と天端板を内側に押し込んでロックした際に強いロック強度を得ることができる。
【００５０】
また、本実施例の包装箱では、底部が長方形で角度α＝角度β＝４５°のため、天側板と天端板とをロックしても天部は開口していて、空気を循環させたい青果物等の梱包に適しているが、角度αと角度βを調整することで完全に閉鎖できる天部とすることも可能である。
【００５１】
図３、図５は、本発明の組み立て式包装箱の別の実施形態を示す。底部の構造に特徴を持たせたもので、天部は先に説明した構造として問題ない。
【００５２】
すなわち、一対の側壁（１１、１２）の上縁から延出された天側板（１１１、１２１）と、一対の端壁（１３、１４）の上縁から延出された天端板（１３１、１４１）と、一対の側壁の下縁から延出された底側板（１１２、１２２）と、一対の端壁の下縁から延出された底端板（１３２、１４２）とを重ね合わせて固定する組み立て式の包装箱である。
【００５３】
そして、一対の底端板（１３２、１４２）の両端縁は、底部のコーナーを起点として底端板の中央近傍に向けて外方に延びる直線Ｃでコーナーから一定距離だけ切り欠かれ、その先は、直線Ｃから略２０°の角度を拡げてコーナーから外方に延びる直線Ｄで切り欠かれている。
【００５４】
底端板（１３２、１４２）の直線Ｃと直線Ｄに挟まれた部位が底端板差し込み片（１３５、１３６、１４５、１４６）を形成している。すなわち、底端板差し込み片の傾斜辺（ｋ）が直線Ｄに一致している。
【００５５】
また、一対の底側板（１１２、１２２）には、一対の底側板と一対の底端板とを折り曲げて底部を組み立てる際、底端板に設けた底端板差し込み片（１３５、１３６、１４５、１４６）が差し込み可能なように、一対の差し込み窓（１１５、１１６、１２５、１２６）が折り込み線（ｂ）側は半円形状の曲線を描いた切り込み線（ｃ）により形成されている組み立て式包装箱（１０）である。
【００５６】
包装箱の底部がこのような構造を有しているので、一対の底側板（１１２、１２２）を内側に折り曲げてから、一対の底端板（１３２、１４２）を内側に押し込むように折り曲げると、底端板差し込み片（１３５、１３６、１４５、１４６）の傾斜片（ｋ）かコーナーから外方に延びる直線Ｄに一致しているので、底端板の両端に形成された底端板差し込み片（１３５、１３６、１４５、１４６）は、ほぼ自動的に底側板に形成された差し込み窓（１１５、１１６、１２５、１２６）に差し込まれて完全にロックされ、底部が組上がる。
【００５７】
差し込み窓（１１５、１１６、１２５、１２６）は折り込み線（ｃ）を設けて開放状態にないので、より完全なロックが行われるし、ごみなどが入り込む可能性も少ない。
【００５８】
切り込み線（ｃ）は、曲線状態で折り込み線（ｂ）と繋がっているので差し込み作業などの際、底側板（１２２、１２２）が破れにくい。
【００５９】
包装箱を分解する時は、底部の一対の底側板（１１２、１２２）を同時に内側に押し込むことにより底側板と底端板のロックが解けて一対の底側板（１１２、１２２）と一対の底端板（１３２、１４２）は簡単に解放される。
【００６０】
図４、図６は、本発明の組み立て式包装箱の別の実施形態を示す。底部の構造に別の特徴を持たせたもので、天部は先に説明した構造として問題ない。
【００６１】
すなわち、一対の側壁（１１、１２）の上縁から延出された天側板（１１１、１２１）と、一対の端壁（１３、１４）の上縁から延出された天端板（１３１、１４１）と、一対の側壁の下縁から延出された底側板（１１２、１２２）と、一対の端壁の下縁から延出された底端板（１３２、１４２）とを重ね合わせて固定する組み立て式の包装箱である。
【００６２】
そして、一対の底端板（１３２、１４２）の両端縁は、底部のコーナーを起点として底端板の中央近傍に向けて外方に延びる直線Ｃでコーナーから概ね１／３幅程度まで切り欠かれ、その先は、直線Ｃから略２０°の角度を拡げた直線Ｄにより概ね２／３幅程度まで切り欠かれている。
【００６３】
底端板（１３２、１４２）の直線Ｃと直線Ｄに挟まれた部位が底端板差し込み片（１３５、１３６、１４５、１４６）を形成している。すなわち、底端板差し込み片の傾斜辺（ｋ）が直線Ｄに一致している。
【００６４】
そして、底端板の先端方向の残りの略１／３幅は、直線Ｃとの交点から箱を形成する際の縦方向の折り曲げ線（ａ）と平行な切断線により底端板の両縁端側が切り欠かれ、両方の底端板差し込み片に挟まれた部分は補強片（１３７、１４７）を形成している。
【００６５】
包装箱の底部がこのような構造を有しているので、一対の底側板（１１２、１２２）を内側に折り曲げてから、一対の底端板（１３２、１４２）を内側に押し込むように折り曲げると、底端板差し込み片（１３５、１３６、１４５、１４６）の傾斜片（ｋ）かコーナーから外方に延びる直線Ｄに一致しているので、底端板の両端に形成された底端板差し込み片（１３５、１３６、１４５、１４６）は、ほぼ自動的に底側板に形成された差し込み窓（１１５、１１６、１２５、１２６）に差し込まれて完全にロックされ、底部が組上がる。
【００６６】
差し込み窓（１１５、１１６、１２５、１２６）は折り込み線（ｃ）を設けて開放状態にないので、より完全なロックが行われるし、ごみなどが入り込む可能性も少ない。
【００６７】
また、底端板に設けられた補強片が一対の底側板の外側にあたって底端板差し込み片への荷重を分担し底抜けを防止している。
【００６８】
補強片（１３７、１４７）を設けたことにより、差し込み片（１３５、１３６、１４５、１４６）の位置がコーナー寄りから離れ、底側板の端辺から差し込み窓までの距離が長くなり、底側板がより破れにくくなる。
【００６９】
さらに、一対の底側板を内側に押し込むことにより、底端板差し込み片は底側板に形成された差し込み窓から分離して、一対の底側板と一対の底端板とはロックが解除され、容易に包装箱を解放することができる。
【００７０】
以上のように、天部の組み立て方法と底部の組み立て方法を組み合わせることにより、数種類の組み立て式の包装箱を作製することができる。
【００７１】
つぎに、図１、図２、図３、図５に基づいてその一例を述べる。
【００７２】
図５は組み立て式包装箱の展開説明図である。
【００７３】
一対の側壁（１１、１２）の上縁から延出された天側板（１１１、１２１）と、一対の端壁（１３、１４）の上縁から延出された天端板（１３１、１４１）と、前記一対の側壁の下縁から延出された底側板（１１２、１２２）と、前記一対の端壁の下縁から延出された底端板（１３２、１４２）とを重ね合わせて固定する組み立て式の包装箱（１０）である。
【００７４】
そして、一対の天側板（１１１、１２１）の両端縁のコーナー寄りに天側板ロック片（１１３、１１４、１２３、１２４）が形成され、また、一対の天端板の両端縁のコーナーから離れた端辺寄りに天端板ロック片（１３３、１３４、１４３、１４４）がつぎに示す条件を満たすように形成されている。
【００７５】
すなわち、一対の天側板（１１１、１２１）の両コーナーから外方に向けて角度αで設けた直線Ａと、一対の天端板（１３１、１４１）の両コーナーから外方に向けて角度βで設けた直線Ｂとを、角度α＋角度β＝９０°の関係になるように設け、天側板の外方寄りの両コーナーの直線Ａから外側を直線Ａに沿って切り欠く。
【００７６】
また、天端板の外方寄りの両コーナーの直線Ｂから外側を直線Ｂに沿って切り欠く。
【００７７】
そして、一対の天側板（１１１、１２１）の両端縁のコーナー寄りに天側板から突出させて天側板ロック片（１１３、１１４、１２３、１２４）を形成させる。
【００７８】
また、一対の天端板（１３１、１４１）の両端縁のコーナーから離れた端辺寄りに天端板から突出させて天端板ロック片（１３３、１３４、１４３、１４４）を形成させる。
【００７９】
また、一対の底端板（１３２、１４２）の両端縁は、底部のコーナーを起点として底端板の中央近傍に向けて外方に延びる直線Ｃでコーナーから一定距離だけ切り欠かれ、その先は、直線Ｃから略２０°の角度を拡げてコーナーから外方に延びる直線Ｄで切り欠かれている。
【００８０】
底端板（１３２、１４２）の直線Ｃと直線Ｄに挟まれた部位が底端板差し込み片（１３５、１３６、１４５、１４６）を形成している。すなわち、底端板差し込み片の傾斜辺（ｋ）が直線Ｄに一致している。
【００８１】
また、一対の底側板（１１２、１２２）には、一対の底側板と一対の底端板とを折り曲げて底部を組み立てる際、底端板に設けた底端板差し込み片（１３５、１３６、１４５、１４６）が差し込み可能なように、一対の差し込み窓（１１５、１１６、１２５、１２６）が折り込み線（ｂ）側は半円形状の曲線を描いた切り込み線（ｃ）により形成されている。
【００８２】
このような構造を有するブランクから包装箱に組み立てるには、先ず、端縁（１４）と糊代片（１５）とを接着剤を介して貼着してブランクを筒状に組み立てる。
【００８３】
ついで、一対の底側板（１１２、１２２）を内側に折り曲げてから、一対の底端板（１３２、１４２）を内側に押し込むように折り曲げると、底端板差し込み片（１３５、１３６、１４５、１４６）の傾斜片（ｋ）かコーナーから外方に延びる直線Ｄに一致しているので、底端板の両端に形成された底端板差し込み片（１３５、１３６、１４５、１４６）は、ほぼ自動的に底側板に形成された差し込み窓（１１５、１１６、１２５、１２６）に差し込まれて完全にロックされ、底部が組上がる。
【００８４】
差し込み窓（１１５、１１６、１２５、１２６）は折り込み線（ｃ）を設けて開放状態
にないので、より完全なロックが行われるし、ごみなどが入り込む可能性も少ない。
【００８５】
切り込み線（ｃ）は、曲線状態で折り込み線（ｂ）と繋がっているので差し込み作業などの際、底側板（１２２、１２２）が破れにくい。
【００８６】
つぎに、底部が組み上がった包装箱をひっくりかえし、一対の天側板（１１１、１２１）を内側に折り曲げ、ついで、一対の天端板（１３１、１４１）を内側に折り曲げた時、隣接する天側板ロック片（１１３、１１４、１２３、１２４）と天端板ロック片（１３３、１３４、１４３、１４４）とが互いにロックされて、天側板（１１１、１２１）と天端板（１３１、１４１）とが固定される。
【００８７】
なお、ロックする際、素材を傷めることなく包装箱の円滑な組み立てが行われるように、天側板ロック片（１１３、１１４、１２３、１２４）と天端板ロック片（１３３、１３４、１４３、１４４）の角は、図示してあるように、あらかじめ切り欠いておくと良い。
【００８８】
このようにして組み立てた包装箱（１０）を解く場合には、一対の天側板（１１１、１２１）を同時に内側に押し込むことにより、天部のロックが解けて一対の天端板（１３１、１４１）と一対の天側板（１１１、１２１）はそれぞれ簡単に分離して天部が解放される。
【００８９】
ついで、底部の一対の底側板（１１２、１２２）を同時に内側に押し込むことにより底側板と底端板のロックが解けて一対の底側板（１１２、１２２）と一対の底端板（１３２、１４２）は簡単に解放される。
【００９０】
また、天部の閉鎖は天側板を外側にして、天端板を内側にし、そして底部の閉鎖は天側板を内側にして、天端板を外側にしているので、複数の包装箱を積み重ねた際に包装箱は紙厚分だけ逃げて、ロックが外れにくい構造である。
【００９１】
この組み立て式包装箱には、板紙、ダンボール等任意の材質が使用可能であるが、収容する内容物の種類、流通手段等を考慮すると、ダンボールが好ましく使用できる。
【図面の簡単な説明】
【００９２】
【図１】本発明の組み立て式包装箱の一実施例を示す、斜視説明図である（天部封鎖前）。
【図２】図１の組み立て式包装箱の平面説明図である（天部封鎖後）。
【図３】本発明の別の組み立て式包装箱の一実施例を示す、下面説明図である。
【図４】本発明のさらに別の組み立て式包装箱の一実施例を示す、下面説明図である。
【図５】本発明の組み立て式包装箱をブランクに展開した一実施例を示す、展開説明図である。
【図６】本発明の組み立て式包装箱をブランクに展開した別の実施例を示す、展開説明図である。
【符号の説明】
【００９３】
１０‥‥組み立て式包装箱
１１‥‥側壁
１２‥‥側壁
１３‥‥端壁
１４‥‥端壁
１５‥‥糊代片
１１１‥‥天側板
１１２‥‥底側板
１１３‥‥天側板ロック片
１１４‥‥天側板ロック片
１１５‥‥差し込み窓
１１６‥‥差し込み窓
１２１‥‥天側板
１２２‥‥底側板
１２３‥‥天側板ロック片
１２４‥‥天側板ロック片
１２５‥‥差し込み窓
１２６‥‥差し込み窓
１３１‥‥天端板
１３２‥‥底端板
１３３‥‥天端板ロック片
１３４‥‥天端板ロック片
１３５‥‥底端板差し込み片
１３６‥‥底端板差し込み片
１３７‥‥補強片
１４１‥‥天端板
１４２‥‥底端板
１４３‥‥天端板ロック片
１４４‥‥天端板ロック片
１４５‥‥底端板差し込み片
１４６‥‥底端板差し込み片
１４７‥‥補強片
ａ‥‥縦方向の折り曲げ線
ｂ‥‥折り込み線  
ｃ‥‥切り込み線
ｋ‥‥傾斜辺
【図１】
2005153955.tif 000003
【図２】
2005153955.tif 000004
【図３】
2005153955.tif 000005
【図４】
2005153955.tif 000006
【図５】
2005153955.tif 000007
【図６】
2005153955.tif 000008